(57)【要約】【課題】多様なアクセスネットワークを通じて通信する移動端末が最適のネットワークを探して加入者に効率的にサービスを提供するための装置及び方法を提供する。【解決手段】本発明は、相互に異なるアクセスネットワークが重なっているヘテロジーニアスネットワークシステムにおいて、移動端末が前記アクセスネットワークのうちのいずれか一つに接続する方法であって、予め定められた優先順位に従って前記一つ以上のアクセスネットワークのうちのいずれか一つのアクセスネットワークに接続し、前記アクセスネットワークへの接続が成功すれば、前記アクセスネットワークを通じて通信サービスを提供する第１段階と、前記アクセスネットワークの接続に失敗すれば、前記優先順位に従って次の順位のアクセスネットワークに接続を試す第２段階とから構成される。【選択図】図２Ａ
2005110262.tif 000002
【特許請求の範囲】
【請求項１】
相互に異なるアクセスネットワークが重なっているヘテロジーニアスネットワークシステムにおいて、移動端末が前記アクセスネットワークのうちのいずれか一つに接続する方法であって、
予め定められた優先順位に従って前記一つ以上のアクセスネットワークのうちのいずれか一つのアクセスネットワークに接続し、前記アクセスネットワークへの接続が成功すれば、前記アクセスネットワークを通じて通信サービスを提供する第１段階と、
前記アクセスネットワークの接続に失敗すれば、前記優先順位に従って次の順位のアクセスネットワークに接続を試す第２段階とから構成されることを特徴とする方法。
【請求項２】
前記優先順位は使用者の入力によって変更されることを特徴とする請求項１記載の方法。
【請求項３】
相互に異なるアクセスネットワークが重なっているヘテロジーニアスネットワークシステムにおいて、移動端末が前記アクセスネットワークのうちのいずれか一つに接続する方法であって、
前記一つ以上のアクセスネットワークのうちのいずれか一つに接続し、前記接続したアクセスネットワークから前記重なっている地域の接続可能なアクセスネットワークの情報を受信する第１段階と、
予め定められた優先順位により現在接続されているアクセスネットワークで前記接続可能なアクセスネットワークのうちのいずれか一つに変更接続する第２段階とから構成されることを特徴とする方法。
【請求項４】
前記第１段階は、前記接続したアクセスネットワークからダミーパイロット信号を通じて接続可能なアクセスネットワークの情報を受信することを特徴とする請求項３記載の方法。
【請求項５】
前記第１段階は、前記接続したアクセスネットワークから接続可能なアクセスネットワークを表示するフィールドを含むシステムパラメータメッセージ値を通じて接続可能なアクセスネットワークの情報を受信することを特徴とする請求項３記載の方法。
【請求項６】
相互に異なるアクセスネットワークが重なっているヘテロジーニアスネットワークシステムにおいて、移動端末が前記アクセスネットワークのうちのいずれか一つに接続する装置であって、
プログラムを貯蔵するメモリと、
命令を入力するためのキーパッドと、
予め定められた優先順位に従って前記一つ以上のアクセスネットワークのうちのいずれか一つのアクセスネットワークに接続を試し、前記アクセスネットワークへの接続が成功すれば、前記アクセスネットワークを通じて通信サービスを提供し、前記アクセスネットワークの接続に失敗すれば、前記優先順位に従って次の順位のアクセスネットワークに接続を試す制御部とから構成されることを特徴とする装置。
【請求項７】
前記優先順位は使用者の入力によって変更されることを特徴とする請求項６記載の装置。
【請求項８】
前記装置は移動端末を含むことを特徴とする請求項６記載の装置。
【請求項９】
相互に異なるアクセスネットワークが重なっているヘテロジーニアスネットワークシステムにおいて、移動端末が前記アクセスネットワークのうちのいずれか一つに接続する装置であって、
プログラムを貯蔵するメモリと、
命令入力のためのキーパッドと、
前記一つ以上のアクセスネットワークのうちのいずれか一つに接続し、前記接続したアクセスネットワークから前記重なっている地域の接続可能なアクセスネットワークの情報を受信し、予め定められた優先順位に従って現在接続されているアクセスネットワークで前記接続可能なアクセスネットワークのうちのいずれか一つに変更接続する制御部とから構成されることを特徴とする装置。
【請求項１０】
前記制御部は、前記接続したアクセスネットワークからダミーパイロット信号を通じて接続可能なアクセスネットワークの情報を受信することを特徴とする請求項９記載の装置。
【請求項１１】
前記制御部は、前記接続したアクセスネットワークから接続可能なアクセスネットワークを表示するフィールドを含むシステムパラメータメッセージ値を通じて接続可能なアクセスネットワークの情報を受信することを特徴とする請求項９記載の装置。
【請求項１２】
前記装置は移動端末を含むことを特徴とする請求項９記載の装置。
【発明の詳細な説明】
【技術分野】
【０００１】
本発明は移動通信システムにおけるネットワークアクセス装置及び方法に関して、特に多様なアクセスネットワークが重なっているネットワーク環境で最適のアクセスネットワーク選択装置及び方法に関するものである。
【背景技術】
【０００２】
移動通信システムは回線網を通じる音声サービスを主にする１，２世代から３世代のディジタル移動通信システムのＩＭＴ(International Mobile Telecommunications)-２０００システムへ発展されてきた。今までの移動電話システムにおいては、ヨーロッパのＧＳＭ(Global System for Mobile communications)方式、日本のＰＤＣ(Personal Digital Cellular)方式、そして北米のＴＤＭＡ(Time Division Multiple Access)方式とＣＤＭＡ(Code Division Multiple Access)方式など、国家別に相互に異なる方式を採択してサービスを行っており、これを統合するためにＩＭＴ-２０００との単一規格でサービスを提供するようになる。このＩＭＴ-２０００システムは、第１及び第２世代の移動通信システムとは異なって加入者が広範囲の移動通信環境で無線インターネットに接続可能なパケットデータサービスを提供し、ＩＭＴ-２０００システムのＣＤＭＡ２０００ １ｘの場合に無線アクセスネットワークを経てＩＰネットワークに接続する使用者に最大１５３.６Ｋbpsまで、そしてＣＤＭＡ２０００１ｘＥＶＤＯの場合に最大約２.４Mbpsまでのデータサービスを提供することができる。
【０００３】
上述したように、単一方式でＩＭＴ-２０００とのマルチモード規格に合議がなされることにより、各国は多様な形態で使用するために競争しており、サービスにおいてだんだん音声からデータを主にする使用者の増加にしたがって、周波数効率の大きなＣＤＭＡ方式が大人気を得ており、だけでなく帯域幅に優れた無線ＬＡＮに対する関心も大きく増加している。
【０００４】
最近では移動通信環境の進化と並行してＩＥＥＥ８０２.１１ｘに基づいた無線ＬＡＮ(wireless Local Area Networks)やＨＩＰＥＲ(High Performance Radio)ＬＡＮ/２、ブルートゥース(bluetooth)などの多様な無線アクセス技術が登場している。このような技術がセルラー移動通信システムと等しい水準の移動性を保障しなくても、公共場所や学校などを含むホットスポット(hot spot)地域やホームネットワーク環境でケーブルモデムまたはＸＤＳＬ(X Digital Subscriber Line)のような固定ネットワークを代替しつつ、高速のデータサービスを提供するための代案として提示された。例えば、ＩＥＥＥ８０２.１１ｂの標準を従う無線ＬＡＮでは２.４GHzのＩＳＭ帯域で約１１Mbpsの伝送速度を提供し、ＩＥＥＥ８０２.１１ａの場合、５GHz帯域で最大５４Mbpsの速度を提供するだけでなく、低廉な構築コストで高速の無線データサービスを提供することができる。
【０００５】
このような無線アクセス技術は伝送速度は速いが、無線ＬＡＮに高速のデータサービスを提供する場合には極に制限された移動性と狭いサービス領域だけでなく電波干渉などで公衆網サービスの提供に限界がある。このような限界を克復するための努力でセルラー移動通信システムと無線ＬＡＮの長短所を補う形態の無線ＭＡＮ技術が発展している。この無線ＭＮＡ技術の一例として、２.３GHz帯域の携帯インターネット(ＨＰｉ)システムは多様な形態の端末機を用いて室内外の停止環境と歩行速度、中/低速(６０Km/h内外)の移動環境でセル当たり５０Mbpsの受容率が提供でき、無線チャンネル状態に応じて広範囲の伝送速度を支援する。
【０００６】
したがって、無線環境で多様な伝送速度及び移動性を提供するアクセス技術が活性化すると、相互に異なる技術の長短所を相互補完し、且つ使用者の多様な要求を満たすことができるサービスを提供すべきである。
【発明の開示】
【発明が解決しようとする課題】
【０００７】
したがって本発明の目的は、多様なアクセスネットワークを通じて通信する移動端末が最適のネットワークを探して加入者に効率的にサービスを提供するための装置及び方法を提供することにある。
【課題を解決するための手段】
【０００８】
上記の目的を達成するために本発明は、相互に異なるアクセスネットワークが重なっているヘテロジーニアスネットワークシステムにおいて、移動端末が前記アクセスネットワークのうちのいずれか一つに接続する方法であって、予め定められた優先順位に従って前記一つ以上のアクセスネットワークのうちのいずれか一つのアクセスネットワークに接続し、前記アクセスネットワークへの接続が成功すれば、前記アクセスネットワークを通じて通信サービスを提供する第１段階と、前記アクセスネットワークの接続に失敗すれば、前記優先順位に従って次の順位のアクセスネットワークに接続を試す第２段階とから構成されることを特徴とする。
【発明の効果】
【０００９】
本発明のネットワークの発見及び選択方法を使用することにより、本発明はセルラー移動通信技術と無線ＬＡＮ/ＭＡＮのように相互に異なるタイプのネットワークと関係なく使用者の選好度(preference)によって最適のネットワークが選択できる。
【００１０】
また、無線データサービスを提供しようとする場合、加入者の環境に従って最適のネットワークを通じてサービスを提供することができる。特に、高速データサービスや帯域幅が大きく要求されるサービスの場合、加入者はＣＤＭＡ２０００ １ｘよりはＣＤＭＡ２０００ １ｘＥＶ-ＤＯでサービスの提供を受けることが効率的であり、ＣＤＭＡ２０００ １ｘＥＶ-ＤＯよりは無線ＬＡＮ/ＭＡＮを通じたサービスの提供が効率的である。したがって、加入者が一番効率的なサービスの提供が可能な環境を通じて該当するネットワークにデータサービスを提供し、あるいは受けることができる効果がある。
【発明を実施するための最良の形態】
【００１１】
以下、本発明の望ましい実施形態を添付の図面を参照して詳細に説明する。本発明の説明において、関連した公知の機能、あるいは構成に関する具体的な説明は本発明の要旨を明確にするために省略する。
【００１２】
本発明は、多様なアクセスネットワーク(ＣＤＭＡ/ＷＣＤＭＡに基づいたセルラー移動通信システム、ＩＥＥＥ８０２.１１ｘに基づいた無線ＬＡＮ、そしてＩＥＥＥ８０２.１６/２０、ＨＰｉなど)が含まれているヘテロジーニアスネットワークで、端末が最適のアクセスネットワークを選択することで、使用者に最適の環境でサービスを提供する装置及び方法を提案する。
【００１３】
このために端末が相互に異なるクセスネットワークに対する情報を獲得し、あるいはアクセスネットワークで最適のネットワークに接続できる情報を提供しなければならない。したがって、本発明は相互に異なるネットワークで端末が最適のサービスを提供するためにネットワークを発見する過程と、最適のネットワークを選択する過程に関する技術を含んでいる。
【００１４】
上述したような本発明が提案することを具現するために、ＣＤＭＡ２０００ １ｘ及びＣＤＭＡ２０００ １ｘＥＶ-ＤＯ、ＵＭＴＳ/ＧＰＲＳのようなセルラー移動通信システムと無線ＬＡＮ/ＭＡＮ、ＨＩＰＥＲＬＡＮ/２などの多様な無線アクセスネットワークが重なっている地域で端末が所定のアクセスネットワークに接続することができる通信環境のヘテロジーニアス(Heterogeneous)ネットワークを例に挙げて説明する。本発明のネットワーク構造は既存の移動通信システムと無線ＬＡＮ/ＭＡＮで定義されたネットワークの構成要素(ＭＳＣ、ＶＬＲ、ＨＬＲ、ＰＤＳＮ、ＡＰなど)に新たにパケットサービス交換機(Packet Service & Mobility Gateway：以下、“ＰＳＭＧ”とする)を追加して回線網とパケット網とをエネーブルさせる。
【００１５】
図１は、本発明の実施形態によるヘテロジーニアスネットワークの構造を示す図である。ここで、パケットデータサービスノード(Packet Data Service Node：以下、“ＰＤＳＮ”とする)はＣＤＭＡ２０００ １ｘネットワーク及びＣＤＭＡ２０００ １ｘＥＶ-ＤＯネットワークの基地局に連動され、アクセスルータ(Access Router：以下、“ＡＲ”とする)は無線ＬＡＮ/ＭＡＮネットワークの基地局に連動されるが、同一の機能を遂行するので、“ＰＤＳＮ/ＡＲ”で示す。以下、説明の便宜上、同一の参照符号を使用してもそれぞれ連動するネットワークに従ってＰＤＳＮとＡＲを区分して説明する。
【００１６】
ヘテロジーニアスネットワークは既存の多様なアクセスネットワーク、例えばＣＤＭＡ２０００ １ｘ、ＣＤＭＡ２０００ １ｘＥＶ-ＤＯ、及び無線ＬＡＮ/ＭＡＮネットワークと、前記多様なアクセスネットワークを通じてサービスネットワークに接続する使用者に回線網とパケット網との間の連動サービスを提供するためのＰＳＭＧ(Packet Service & Mobility Gateway)１１０とから構成されている。
【００１７】
ＰＳＭＧ１１０は、使用者のＩＰネットワーク１３０とＳＳ７ネットワーク１４０との間に連結されている。すなわち、ＰＳＭＧ１１０はＩＳ-４１に基づいたプロトコルを使用して加入者位置登録器(Home Location Register：以下、“ＨＬＲ”とする)１３１、ＳＩＰ(Service Internet Protocol)を使用してＰＤＳＮまたはＡＲ１２０、及びＳＩＰサーバ(図示せず)に接続されている。そして、ＰＳＭＧ１１０はＩＳ-４１とＳＩＰとの間のプロトコル変換を遂行し、移動端末からの位置登録過程及びＰＤＳＮ/ＡＲ１２０からのＳＩＰ登録過程を通じて使用者と移動端末との接続状態を管理する。このとき、ＰＳＭＧ１１０が管理する移動端末の接続状態を“on packet”状態と“on circuit”状態にする。また、ＰＳＭＧ１１０は多様なアクセスネットワークを通じてＩＰ(Internet Protocol)ネットワークに接続する加入者に対する位置管理を遂行するためにＳＩＰ登録機能を遂行し、移動端末の位置登録過程を通じて伝達された加入者情報に基づいてＮＩＮ、ＩＰアドレス、ＮＡＩ情報などの相互接続関係を管理する。
【００１８】
ＰＳＭＧ１１０に接続されるＨＬＲ１３１はサービスネットワークに接続する使用者に対するサービスプロファイルが貯蔵され、サービスプロファイルを基にして端末及び加入者に対する位置管理、状態管理、及び認証機能を遂行することにより、移動性を有する使用者に自動ローミングサービスを提供する。このような一般の機能以外にＨＬＲ１３１は回線網及びパケット網間の連動サービスのために端末のハイブリッド動作(hybrid operation)、回線網に接続した使用者の音声、及びデータ呼の着信に関連したサービスプロファイルを貯蔵する。そして、移動端末または公衆加入電話網(Public Switched Telephone Network：ＰＳＴＮ)(図示せず)が伝達する着信呼を処理するとき、移動端末の種類がヘテロジーニアスネットワークに適用される移動端末であるかを確認する。ここで、移動端末の種類は加入者情報に含まれて貯蔵される。この移動端末はハイブリッド動作に定義された手続きに従って動作することにより、使用者に回線(circuit)サービスとパケットサービスを同時に提供することができる。
【００１９】
ＰＳＭＧ１１０とＳＩＰを通じて接続されたＰＤＳＮまたはＡＲ１２０はポイントツーポイントプロトコル(Point to Ponit Protocol：以下、“ＰＰＰ”とする)との接続を通じて移動端末との２階層連結を形成する。そして、ＰＤＳＮまたはＡＲ１２０はＩＰアドレス割り当て及びＩＰパケットルーティング、モバイルＩＰサービスのための周波数(ＦＡ)機能、課金及び認証のための認証サーバ１８０との連動、サービス品質(ＱｏＳ)の支援などに関連した機能を遂行する。このような一般機能以外にＰＤＳＮまたはＡＲ１２０は回線網とパケット網との間の連動サービスを支援するために、下記のような機能を遂行する。
【００２０】
ＰＤＳＮまたはＡＲ１２０は、シンプルＩＰサービスに加入した使用者の移動端末がＳＩＰ登録過程を遂行すれば、ＰＳＭＧ１１０にＳＩＰ登録メッセージを伝達する。そして、ＰＤＳＮまたはＡＲ１２０はモバイルＩＰサービスに加入した使用者の端末がモバイルＩＰ登録過程を遂行すれば、ＰＳＭＧ１１０にＳＩＰ登録メッセージを伝達する。また、移動端末がＰＤＳＮまたはＡＲ１２０とのＰＰＰ接続を維持しつつ、多様なアクセスネットワーク間を移動する度にＰＳＭＧ１１０へＳＩＰ登録メッセージを伝達する。
【００２１】
また、ＰＤＳＮまたはＡＲ１２０は“on circuit”状態の移動端末(以下、“ＨＡＴ”とする)へ伝達されるＩＰパケットを受信すると、ＨＡＴがパケットアクセスネットワーク(ＡＮ)を通じて接続するまでＩＰパケットに対するバッファリングを遂行する。そして、ＰＤＳＮまたはＡＲ１２０は、ＨＡＴからＳＩＰまたはモバイルＩＰの登録過程、ＨＬＲ１３１からの通知過程を通じて使用者及びＨＡＴの接続状態を管理する。ここで、ＰＤＳＮまたはＡＲ１２０が管理するＨＡＴの接続状態がパケット網と通信する状態であれば“on packet”とし、回線網と通信する状態であれば“on circuit”とする。
【００２２】
認証サーバ１８０はＲＡＤＩＵＳまたはＤＩＡＭＥＴＥＲのようなプロトコルを使用してＰＤＳＮ/ＡＲ１２０と接続してＨＡＴ及び使用者に対する認証及び課金情報と加入者情報を送受信する。そして、ＨＡＴのハイブリッド動作に関連した使用者プロファイルを貯蔵する。このようなネットワーク構成以外にＣＤＭＡ２０００ １ｘネットワークの基地局１４０、ＣＤＭＡ２０００ １ｘＥＶ-ＤＯ網の基地局１５０及びアクセスポイント(Access Point：以下、“ＡＰ”とする)１６０を含む無線ＬＡＮ/ＭＡＮネットワークの内部装置は一般に良く知られているもので、その具体的な説明を省略する。また、ＣＤＭＡ２０００ １ｘネットワークに接続された交換機(ＭＳＣ/ＶＬＲ１３３及びＧＭＳＣ１３２)及び無線ＬＡＮ/ＭＡＮネットワークに接続されたＨＡ(Home Agent)１７０についての説明も良く知られているもので、その具体的な説明を省略する。
【００２３】
ＬＢＳ(Location Based Services)１９０はどの情報器機の使用者がどこにいるかに関する情報を活用するサービスで、ＨＡＴがどこにあるかに関する情報を持っており、この情報を用いて加入者の正確な位置を把握するのに使用する。
【００２４】
上記のように構成されるシステム上で、最適のアクセスネットワークを発見及び選択する方法を説明する。
【００２５】
図２Ａは、本発明の一実施形態によるＨＡＴのアクセスネットワークシステムの発見及び選択方法を説明するための図である。
【００２６】
図２Ａを参照すれば、ステップ２００でＨＡＴに電源が印加されると、ＨＡＴは多様な種類のアクセスネットワークシステムのうちのいずれか一つに接続して通信サービスを提供する。このために、ＨＡＴは加入者が主に使用するサービス種類の選好度に従って自動的に多数のアクセスネットワークシステム間の優先順位情報が貯蔵されており、あるいは加入者の選好度が不分明な場合にＨＡＴ内の任意に設定された優先順位が貯蔵されている。また、選好度を変更しようとする場合、加入者はＨＡＴを通じて選好度に対する優先順位を調整することもできる。
【００２７】
すると、ＨＡＴはステップ２１０で優先順位情報を検出するようになる。ステップ２２０でＨＡＴは第１順位のネットワークの獲得を試す。図２Ｂは、前記ＨＡＴが接続可能なネットワークとしてＷＬＡＮ、ＣＤＭＡ２０００ １ｘＥＶ-ＤＯ、ＣＤＭＡ２０００ 1ｘを含むヘテロジーニアスネットワーク環境でＨＡＴの選好度がＷＬＡＮ→ＣＤＭＡ２０００ １ｘＥＶ-ＤＯ→ＣＤＭＡ２０００ １ｘの順になっている場合のネットワーク獲得過程を示す図である。図２Ｂを参照すれば、第１順位がＷＬＡＮネットワークなため、ＨＡＴはＷＬＡＮネットワークの獲得を試す。
【００２８】
ステップ２３０で、ＨＡＴはネットワークの獲得に対して成功したか、あるいは失敗したかを判断する。ステップ２３０の判断結果、第１順位のネットワークの獲得が成功すると、ＨＡＴはステップ２４０で第１ネットワークに接続して通信サービスを遂行する。しかしながら、ステップ２３０の判断結果、第１ネットワークの獲得に失敗すると、ＨＡＴはステップ２５０で第２順位のネットワークの獲得を試す。図２Ｂを参照すれば、第２順位がＣＤＭＡ２０００ １ｘＥＶ-ＤＯネットワークなので、ＨＡＴはＣＤＭＡ２０００ １ｘＥＶ-ＤＯネットワークの獲得を試すようになる。すると、ＨＡＴはステップ２３０を再び遂行し、その結果に従ってステップ２４０またはステップ２５０を繰り返すようになる。図２Ｂを参照すれば、ＣＤＭＡ２０００ １ｘＥＶ-ＤＯの獲得が成功すると、ＨＡＴはＣＤＭＡ２０００ １ｘＥＶ-ＤＯネットワークに接続するようになる。一方、ＣＤＭＡ２０００ １ｘＥＶ-ＤＯの獲得が成功しないと、ＨＡＴは第３順位のＣＤＭＡ２０００ １ｘネットワークの獲得を試すようになる。
【００２９】
本発明は、上述したような方法によりＨＡＴが接続可能な多数のネットワークのうちのいずれか一つのネットワークを獲得せず多重ネットワークに存在するようになると、ＨＡＴが再び最適のネットワークで呼獲得を遂行可能なように他の実施形態を含む。上記の方式は、アクセスネットワークでセル情報をＨＡＴに伝達する方式と、コアネットワークでセル情報を提供する方式に分けられる。
【００３０】
まず、アクセスネットワークでセル情報をＨＡＴに伝達する方式について説明する。
【００３１】
図３は、本発明の他の実施形態によるＨＡＴのアクセスネットワークシステムの獲得方法を説明するための図である。
【００３２】
図３を参照すれば、ＨＡＴに電源が印加され、ステップ３１０のネットワーク発見段階を通じてステップ３２０でＣＤＭＡ １ｘＡＮのシステムを獲得する。この獲得されたアクセスネットワークはダミーパイロット(dummy pilot)にＰＮ値を特定の値に設定してＨＡＴに伝送する。このとき、アクセスネットワークはダミーパイロットの強さをＣＤＭＡ２０００ １ｘＥＶ-ＤＯやＷＬＡＮのカバレージに応じて調整しなければならない。ＨＡＴは特定のＰＮ値に設定されたダミーパイロットを受信すると、予め設定されたＰＮ情報を通じて重なっている地域のネットワークの構成をわかるようになる。ＨＡＴは、このＰＮ情報によってＣＤＭＡ２０００ １ｘＥＶ-ＤＯまたはＷＬＡＮの存在有無を判断することができる。すると、ＨＡＴは自分の選好度モードに従ってネットワークが変更できる。図３を参照すると、ＨＡＴはステップ３３０及びステップ３４０を経てＣＤＭＡ２０００ １ｘＥＶ-ＤＯにネットワークを変更することができる。
【００３３】
上記のように、アクセスネットワークから提供された情報によってＣＤＭＡ２０００ １ｘＥＶ-ＤＯまたはＷＬＡＮのモードに切り換えを行ったＨＡＴは同期化のためにシステムに接続し、ＣＤＭＡ２０００ １ｘＥＶ-ＤＯまたはＷＬＡＮとＨＡＴとの間の同期化を行う。
また、アクセスネットワークがシステムパラメータを通じて現在のネットワークの構成情報をＨＡＴに伝送することもできる。これは、アクセスネットワークがシステムパラメータメッセージ値に拡張システム(Extended system)パラメータを使用するように設定する。
【００３４】
例えば、アクセスネットワークはシステムパラメータメッセージに＜表１＞のように、３ビットの現在支援ネットワーク(Current_Network_Supported)を新規でフィールドに追加してネットワークが重なる場合をＨＡＴに知らせる。
【００３５】
【表１】
2005110262.tif 000003
【００３６】
現在支援ネットワークの値が０００または１００、１０１、１１０または１１１であれば、予備(Reserved)状態を示し、現在支援ネットワークの値が００１の場合はＣＤＭＡ２０００ １ｘのみに接続可能な状態を示し、現在支援ネットワークの値が０１０の場合はＣＤＭＡ２０００ １ｘ及びＣＤＭＡ２０００ １ｘＥＶ-ＤＯにすべて接続可能な状態を示し、現在支援ネットワークの値が０１１であればＣＤＭＡ２０００ １ｘ及びＷＬＡＮにすべて接続可能な状態を示す。
【００３７】
ＨＡＴは現在支援ネットワークの値によって選好度モードに応じるモード変更可否を判断し、そのモード変更を遂行する。上記のようにアクセスネットワークから提供された情報により、ＣＤＭＡ２０００ １ｘＥＶ-ＤＯまたはＷＬＡＮのモードに切り換えられたＨＡＴは同期化のためにシステムに接続してＣＤＭＡ２０００ １ｘＥＶ-ＤＯまたはＷＬＡＮとＨＡＴとの間の同期化を行う。
【００３８】
次に、コアネットワークでセル情報をＨＡＴに伝達する他の実施形態について図４を参照して説明する。
【００３９】
図４に示すように、ＨＡＴが初期に端末の選好度によってネットワークを発見してから特定のネットワークを選択すると、ＰＳＭＧがＨＡＴの正確な位置を知っているシステムと連動してＨＡＴの位置を把握し、このとき、ネットワークの構成情報を通じて一番最適のネットワークに接続可能にＨＡＴに情報を提供する。
【００４０】
ＨＡＴは選好度により、ステップ４１０でＣＤＭＡ２０００ １ｘネットワークに接続する。すると、ＣＤＭＡ２０００ １ｘネットワークはステップ４２０でＰＳＭＧ１１０に登録を遂行する。このとき、ＰＳＭＧ１１０はステップ４３０でＬＢＳシステムを通じてＨＡＴの位置を把握するようになる。この把握されたＨＡＴの位置を通じて現在ネットワークの重複情報に対する情報が獲得される。ＰＳＭＧ１１０はステップ４４０で該当ＨＡＴにネットワークの重複情報を伝送する。該当アクセスネットワークはステップ４５０で、ＨＡＴにサービス変更(redirection)メッセージを通じてモード変更を遂行し、ＨＡＴは自分の選好度モードに従って変更可能である。
【００４１】
一方、本発明の詳細な説明では具体的な実施形態について説明したが、本発明の範囲を外れない限り、多様な変形が可能であることは当該分野で通常の知識を有する者には自明なことであろう。
【図面の簡単な説明】
【００４２】
【図１】本発明の一実施形態のヘテロジーニアスシステムのブロック構成図である。
【図２Ａ】本発明の一実施形態のヘテロジーニアスシステムにおける最適のネットワーク選択方法を説明するための図である。
【図２Ｂ】本発明の一実施形態のヘテロジーニアスシステムにおける最適のネットワーク選択方法を説明するための図である。
【図３】本発明の他の実施形態のヘテロジーニアスシステムにおける最適のネットワーク選択方法を説明するための図である。
【図４】本発明の他の実施形態のヘテロジーニアスシステムにおける最適のネットワーク選択方法を説明するための図である。
【符号の説明】
【００４３】
１１０  ＰＳＭＧ(Packet Service & Mobility Gateway)
１２０  ＰＤＳＮまたはＡＲ
１３１  加入者位置登録器(Home Location Register：ＨＬＲ)
１３２  ＧＭＳＣ
１３３  ＭＳＣ/ＶＬＲ
１４０  ＣＤＭＡ２０００ １ｘネットワークの基地局
１５０  ＣＤＭＡ２０００ １ｘＥＶ-ＤＯ網の基地局
１６０  アクセスポイント(Access Point：ＡＰ)
１７０  ＨＡ(Home Agent)
１８０  認証サーバ
【図１】
2005110262.tif 000004
【図２Ａ】
2005110262.tif 000005
【図２Ｂ】
2005110262.tif 000006
【図３】
2005110262.tif 000007
【図４】
2005110262.tif 000008
【外国語明細書】
2005110262.tif 000009
2005110262.tif 000010
2005110262.tif 000011
2005110262.tif 000012
2005110262.tif 000013
2005110262.tif 000014
2005110262.tif 000015
2005110262.tif 000016
2005110262.tif 000017
2005110262.tif 000018
2005110262.tif 000019
2005110262.tif 000020
2005110262.tif 000021
2005110262.tif 000022
2005110262.tif 000023
2005110262.tif 000024
2005110262.tif 000025